(57)【要約】【課題】プレビュー機能及び原稿用紙サイズ自動検知機能を備えた画像形成装置において、検知された原稿用紙サイズが切り替わった直後の原稿画像データを簡易な操作でプレビュー表示することができる画像形成装置を提供すること。【解決手段】ユーザによる、次スキップボタン（５３）の操作を受け付けると、プレビュー画像表示制御部１７は、用紙サイズ記録テーブル（１０１）を参照し、プレビュー表示中の画像データより後の、当該プレビュー表示中の画像データに係る原稿の用紙サイズとは異なる用紙サイズを示す画像データ群（単位）における先頭頁の画像データをプレビュー表示する。【選択図】図２
2010109419.tif 000002
【特許請求の範囲】
【請求項１】
スキャンする原稿の用紙サイズを検知する検知部と、
スキャンした原稿の画像データに対応して、当該スキャンした原稿の順に、当該原稿の用紙サイズを記録する用紙サイズ記録部と、
前記記録した検知結果を参照し、同一の用紙サイズを示す画像データ群における、それぞれの先頭頁の画像データをプレビュー表示するプレビュー画像表示制御部とを備えたことを特徴とする画像形成装置。
【請求項２】
前記プレビュー画像表示制御部は、次／前スキップ指示操作を受け付けると、プレビュー表示中の画像データより後／前の、当該プレビュー表示中の画像データに係る原稿の用紙サイズとは異なる用紙サイズを示す画像データ群における、先頭頁の画像データをプレビュー表示することを特徴とする請求項１に記載の画像形成装置。
【請求項３】
前記プレビュー画像表示制御部は、画像データのプレビュー表示と共に、当該画像データに係る用紙サイズを表示することを特徴とする請求項１又は２に記載の画像形成装置。
【請求項４】
前記プレビュー画像表示制御部は、プレビュー表示した画像データに係る原稿の用紙サイズが、当該画像データに係る実際の原稿の用紙サイズよりも小さく誤検知された場合には、ユーザからの修正指示操作を受け付けると、適切な原稿の用紙サイズを入力し当該原稿を再スキャンする指示操作を行うように案内する画面を表示することを特徴とする請求項３に記載の画像形成装置。
【請求項５】
前記プレビュー画像表示制御部は、ユーザからの用紙サイズ入力操作及び再スキャン指示操作を受け付けると、前記用紙サイズ記録部に記録された、前記プレビュー表示した画像データに対応する用紙サイズを、入力された用紙サイズに修正し、再度スキャンした原稿の画像データを既に記憶された前記プレビュー表示に係る画像データと入れ替えて記憶し、再度、プレビュー表示することを特徴とする請求項４に記載の画像形成装置。
【請求項６】
前記プレビュー画像表示制御部は、プレビュー表示した画像データに係る原稿の用紙サイズが、当該画像データに係る実際の原稿の用紙サイズよりも大きく誤検知された場合には、ユーザからの修正指示操作を受け付けると、適切な原稿の用紙サイズを入力する操作を行うように案内する画面を表示することを特徴とする請求項３に記載の画像形成装置。
【請求項７】
前記プレビュー画像表示制御部は、ユーザからの用紙サイズ入力操作を受け付けると、前記用紙サイズ記録部に記録された、前記プレビュー表示した画像データに対応する用紙サイズを、入力された用紙サイズに修正すると共に、既に記憶された前記プレビュー表示に係る画像データに修正処理を施し、再度、プレビュー表示することを特徴とする請求項６に記載の画像形成装置。
【発明の詳細な説明】
【技術分野】
【０００１】
本発明は、プレビュー機能及び原稿用紙サイズ自動検知機能を備えた画像形成装置に係り、特に、プレビュー機能を利用して原稿用紙サイズ検知が適切に行われたかを確認する際の利便性を向上させる画像形成装置に関する。
【背景技術】
【０００２】
特許文献１には、原稿用紙サイズを検知する機能が開示され、当該機能を利用すれば検知結果に対応した用紙サイズで原稿をコピー（印刷）することができる。
【０００３】
前記機能を利用すれば、原稿用紙サイズが異なる原稿束をコピーする場合、前記原稿束を原稿自動読取装置（ＡＤＦ）にセットしてコピーを指示すれば原稿用紙サイズに対応して自動的にコピーが実行される。
【０００４】
しかし、画像形成装置が原稿用紙サイズ検知を誤ると、例えば、用紙サイズがＡ４の原稿をＡ３の原稿としてコピーしたり、また、Ａ３の原稿をＡ４の原稿としてコピーすることがある。
このような場合、ユーザは、原稿用紙サイズが異なる原稿束をコピーした後、正しく用紙サイズ検知がなされたかを確認するためには、得られたコピーを全部チェックしなければならない。
【０００５】
もし、上記のチェックにおいて、原稿束内の１枚でも用紙サイズ検知が間違っていた場合には、再度、全コピーのやり直しをするか、前記原稿束内から誤検知された原稿を取り出し、正しい設定でコピーをやり直して、間違ってコピーされた用紙と交換する必要がある。
このように自動検知機能を利用してコピーすると、コピー用紙、トナー等の印刷部材の無駄を生じることもあり、さらにやり直しのための時間が無駄になる。
【０００６】
一方、コピーや印刷を行う前に、表示パネル等に印刷画像（画像データ）を表示して確認する、いわゆるプレビュー表示機能を備えた画像形成装置が提案されている。前記プレビュー表示機能を利用すれば、ユーザは、コピー前に印刷画像を確認できるので印刷部材の無駄ややり直しの手間を省くことができる。
【特許文献１】特開２００６−３１１０６５号公報
【発明の開示】
【発明が解決しようとする課題】
【０００７】
ところで、プレビュー表示機能を備えた画像形成装置においては、ユーザからのプレビュー表示指示を受け付けると最初にスキャンされた原稿の画像データが表示される。その後、ユーザの指示操作により一枚（１画像データ）ずつ原稿の画像データが順次表示されるのが普通である。
【０００８】
それ故、用紙サイズがＡ４の原稿１０枚と、Ａ３の原稿１０枚からなる原稿束をスキャンし、当該原稿束を構成する原稿の用紙サイズ検知が正しく行われているか否かを確認する場合には、指示ボタン（次表示ボタン）を操作して、一枚毎に順次、原稿の画像データをプレビュー表示させる必要がある。
【０００９】
上記の例では、ユーザが１１枚目のＡ３原稿の用紙サイズ検知が正しく行われているか否かを確認するためには、指示ボタンを１０回操作して、目的とする原稿の画像データをプレビュー表示させる必要があるが、このような操作はユーザにとって大変煩雑である。
【００１０】
一方、前記原稿の用紙サイズ検知が正しく行われているか否かを確認する場合には、Ａ３からＡ４のように検知された原稿用紙サイズが切り替わった直後の原稿画像データ、又は、当該原稿画像データの前後の原稿画像データをプレビュー表示させて、用紙サイズ検知が正しく行われていること確認すれば、ユーザは実際にコピーしてもよいと考えると思われる。
【００１１】
本発明は、かかる実情に鑑みてなされたものであり、プレビュー機能及び原稿用紙サイズ自動検知機能を備えた画像形成装置において、検知された原稿用紙サイズが切り替わった直後の原稿画像データを簡易な操作でプレビュー表示することができる画像形成装置を提供することを目的とする。
【課題を解決するための手段】
【００１２】
第１の技術手段は、スキャンする原稿の用紙サイズを検知する検知部と、スキャンした原稿の画像データに対応して、当該スキャンした原稿の順に、当該原稿の用紙サイズを記録する用紙サイズ記録部と、前記記録した検知結果を参照し、同一の用紙サイズを示す画像データ群における、それぞれの先頭頁の画像データをプレビュー表示するプレビュー画像表示制御部とを備えたことを特徴とする画像形成装置である。
【００１３】
第２の技術手段は、第１の技術手段において、前記プレビュー画像表示制御部は、次／前スキップ指示操作を受け付けると、プレビュー表示中の画像データより後／前の、当該プレビュー表示中の画像データに係る原稿の用紙サイズとは異なる用紙サイズを示す画像データ群における、先頭頁の画像データをプレビュー表示することを特徴とする。
【００１４】
第３の技術手段は、第１又は第２の技術手段において、前記プレビュー画像表示制御部は、画像データのプレビュー表示と共に、当該画像データに係る用紙サイズを表示することを特徴とする。
【００１５】
第４の技術手段は、第３の技術手段において、前記プレビュー画像表示制御部は、プレビュー表示した画像データに係る原稿の用紙サイズが、当該画像データに係る実際の原稿の用紙サイズよりも小さく誤検知された場合には、ユーザからの修正指示操作を受け付けると、適切な原稿の用紙サイズを入力し当該原稿を再スキャンする指示操作を行うように案内する画面を表示することを特徴とする。
【００１６】
第５の技術手段は、第４の技術手段において、前記プレビュー画像表示制御部は、ユーザからの用紙サイズ入力操作及び再スキャン指示操作を受け付けると、前記用紙サイズ記録部に記録された、前記プレビュー表示した画像データに対応する用紙サイズを、入力された用紙サイズに修正し、再度スキャンした原稿の画像データを既に記憶された前記プレビュー表示に係る画像データと入れ替えて記憶し、再度、プレビュー表示することを特徴とする。
【００１７】
第６の技術手段は、第３の技術手段において、前記プレビュー画像表示制御部は、プレビュー表示した画像データに係る原稿の用紙サイズが、当該画像データに係る実際の原稿の用紙サイズよりも大きく誤検知された場合には、ユーザからの修正指示操作を受け付けると、適切な原稿の用紙サイズを入力する操作を行うように案内する画面を表示することを特徴とする。
【００１８】
第７の技術手段は、第６の技術手段において、前記プレビュー画像表示制御部は、ユーザからの用紙サイズ入力操作を受け付けると、前記用紙サイズ記録部に記録された、前記プレビュー表示した画像データに対応する用紙サイズを、入力された用紙サイズに修正すると共に、既に記憶された前記プレビュー表示に係る画像データに修正処理を施し、再度、プレビュー表示することを特徴とする。
【発明の効果】
【００１９】
本発明により、プレビュー機能及び原稿用紙サイズ自動検知機能を備えた画像形成装置において、検知された原稿用紙サイズが切り替わった直後の原稿画像データを簡易な操作でプレビュー表示することができ、ユーザの利便性が向上する。
【発明を実施するための最良の形態】
【００２０】
図１を用いて、本発明に係る画像形成装置の概略について説明する。
図１（Ａ）は、コピーの対象である、用紙サイズの異なる原稿束を示した図である。
Ｘは、用紙サイズがＡ４の原稿５枚からなるＡ４原稿束、Ｙは、用紙サイズがＡ３の原稿５枚からなるＡ３原稿束を示す。
コピー原稿面には、原稿枚数（１〜１０）が記載されているものとする。
【００２１】
ここで、ユーザが、本発明に係る画像形成装置のＡＤＦに、図１（Ｂ）に示すように、上記の原稿をセットして、スキャン及びプレビュー表示を指示すると、前記原稿をスキャンすると同時に当該原稿の用紙サイズを検知し、画像データを生成・記録する。
また、前記画像データの記録と共に、検知された原稿用紙サイズを記録する。
その後、最初の原稿に係る画像データ“１”がプレビュー表示される。
【００２２】
従来の画像形成装置では、原稿用紙サイズが正しく自動検知されているか否かをプレビュー表示によって確認するためには、次原稿表示ボタンを５回操作して、Ａ３原稿束（Ｙ）を構成する原稿の画像データ“６”をプレビュー表示していた。
しかし、本発明に係る画像形成装置では、次スキップボタンを１回操作すれば、即、前記画像データ“６”をプレビュー表示することができる。
【００２３】
図２は、本発明の一実施形態に係る画像形成装置の構成例を示す概略ブロック図で、図示例の画像形成装置は、複写動作等に用いられる印刷機能やファクシミリ送信機能等を有するデジタル複合機として構成されている。また、図３は、図２の複合機におけるタッチパネル及びキー操作部の一例を示す外観図である。
【００２４】
複合機として構成された画像形成装置（以下、デジタル複合機と記す）１は、タッチパネル１０、パネル制御部１１、記録部１２、読取部１３、フォーマット変換部１４、画像記憶部１５、画像処理部１６、プレビュー画像表示制御部１７、用紙サイズ記録部１８、符号化／復号部１９、メイン制御部２０、制御用メモリ２１、キー操作部２２、ＬＡＮ（Local Area Network）制御部２３、制御用バッファ２４、網制御部（ＮＣＵ：Network Control Unit）２５、モデム２６を備えている。
【００２５】
メイン制御部２０はＣＰＵ（Central Processing Unit）などで構成され、制御用メモリ２１は、ＲＯＭ（Read Only Memory）等の不揮発性メモリなどで構成される。制御用メモリ２１内にはメイン制御部２０から読み出し可能なように、プログラム（ファームウェア）と各種設定データとが格納されている。また、制御用バッファ２４はＲＡＭ（Random Access Memory）等の揮発性メモリで構成される。
【００２６】
上述のプログラムは、本発明に係る原稿の読み取りに係る命令をはじめ、プレビュー画像の生成、表示に係る命令、ファクシミリ画像や電子メール等の生成・送信・受信等に係る命令、印刷に係る命令などの、メイン制御部２０が実行する制御プログラムである。このプログラムは、メイン制御部２０により、制御用バッファ２４上に展開され、制御用バッファ２４を一時保存（作業）用のデータ領域として、各種設定データを適宜参照しながら実行される。
【００２７】
読取部１３は、図示しない原稿載置台に載置された原稿を一枚ずつ搬送する自動原稿搬送部（ＡＤＦ：Auto Document Feeder）を有しており、ＡＤＦにより搬送された原稿の画像をＣＣＤ（Charge Coupled Device）等を用いて１ページずつ読み取ることができ、読み取ったＲＧＢ（Ｒ：赤、Ｇ：緑、Ｂ：青）の画像データを画像処理部１６に出力する。また、読取部１３は、図示しないカウンタを有しており、このカウンタやＡＤＦの用紙検知センサ等を用いて、何ページ目の原稿を読み取っているか、原稿の総ページ数をカウントできるようになっている。
【００２８】
画像処理部１６は、スキャンする原稿の用紙サイズを検知する用紙サイズ検知部１６ａを有する。
検知方法は様々提案されており、例えば、スキャン対象となる原稿の縦／横幅の走査時間を計測することによって原稿用紙サイズを検知してもよい。
【００２９】
また、画像処理部１６は、スキャンした原稿の画像データ毎に、用紙サイズ検知部１６ａによって検知された、当該画像データに対応する原稿の用紙サイズを示す情報（Ａ３、Ａ４等）を用紙サイズ記録部１８に出力する。なお、用紙サイズ記録部１８の詳細については後述する。
【００３０】
さらに、画像処理部１６は、プレビュー画像生成部１６ｂを有する。プレビュー画像生成部１６ｂは、例えば、画像記憶部１５に記憶されている画像データに、設定出力条件に基づき各種画像調整処理（プレビュー表示用画像処理）を行い、プレビュー画像を生成する。プレビュー表示用画像処理には、タッチパネル１０の表示特性に基づいて画像データを変換する色補正処理や、印刷倍率に応じた画像拡大／縮小処理等がある。
【００３１】
また、プレビュー画像生成部１６ｂは、生成したプレビュー画像を画像記憶部１５に出力する。画像記憶部１５に記憶されたプレビュー画像は、プレビュー画像表示制御部１７の制御を受け、タッチパネル１０に表示される。
【００３２】
なお、画像処理部１６は、対象となる画像データに対して様々な画像処理を行う。例えば、読取部１３からのＲＧＢ画像データに対するＡ／Ｄ変換等を含む原稿読取時の画像処理（原稿画像処理）を行う。原稿画像処理後の画像データは、画像記憶部１５に記憶される。また、画像処理部１６は、画像記憶部１５に記憶された画像データの印刷や外部装置への送信の際（出力の際）、設定された出力条件（印刷倍率に関する出力条件や所謂Ｎ−ｕｐ印刷の設定情報等）等に基づき、当該画像データに印刷用画像処理やファックス送信用画像処理を行う。この印刷用画像処理やファックス送信用画像処理には、出力形態に応じた画質調整処理等が含まれる。なお、設定出力条件は、制御用メモリ２１に記憶されている。
【００３３】
プレビュー画像表示制御部１７は、用紙サイズ記録部１８に記録した検知結果を参照し、同一の用紙サイズを示す画像データ群における、それぞれの先頭頁の画像データをプレビュー表示する。
【００３４】
フォーマット変換部１４は、読み取られた画像データや外部から受信した画像データを、ＰＤＦ（Portable Document Format）等の所定のファイルフォーマットに変換する。
記録部１２は、電子写真方式などの印刷方式を採用したプリンタ装置を備え、画像記憶部１５に記憶された画像データなどを、記録用紙に記録（つまり印刷）する。例えば、印刷用画像処理後の画像データに基づき、記録を行う。
画像記憶部１５は、ハードディスク等で構成され、読取部１３から画像処理部１６等を経た画像データを原稿ページ毎に記憶する。
【００３５】
符号化／復号部１９は、画像データを符号化により圧縮すると共に、符号化画像データを元の画像データに復号（伸張）する。例えば、符号化／復号部１９は、必要に応じて、原稿を読み取った画像データの符号化、その符号化データの復号、外部から受信した符号化画像データの復号などを行う。符号化／復号部１９では、ファイリングで一般的に使用されているＪＰＥＧ（Joint Photographic Experts Group）など、用途に応じた符号化方式を用いることができる。
【００３６】
モデム２６は、ファクシミリ通信が可能なファクシミリモデムから構成されており、電話回線と接続され、またＮＣＵ２５と直接的に接続されている。ＮＣＵ２５は、必要に応じてモデム２６を公衆電話回線網と接続する。このような構成により、画像記憶部１５に記憶された画像データを外部へファクシミリ送信すること等が可能となる。
ＬＡＮ制御部２３は、ＬＡＮと接続され、インターネット経由による電子メールデータの通信及びインターネットファクシミリ（インターネットＦＡＸ）の通信を行う。
【００３７】
タッチパネル１０又は図３のキー操作部２２は、原稿の読み取り処理、印刷処理等の処理の中から所望の処理を選択するための操作、その処理を開始するための操作、各処理を実行する際に必要となる設定を行うための操作（選択操作又は入力操作）などを受け付ける。タッチパネル１０及びキー操作部２２は、図３で例示するような操作パネル３０として構成してもよい。キー操作部２２は、原稿読込開始等の指示を受付けるスタートキー２２ａ等、操作するために必要なキー群を備えている。
【００３８】
タッチパネル１０は、液晶ディスプレイ等の表示部とタッチセンサ等の操作受付部とを有する。タッチパネル１０は、パネル制御部１１によってその表示制御及び操作受け付けの制御がなされる。
【００３９】
パネル制御部１１は、タッチパネル１０における表示部の表示制御や操作受付部の操作受付制御を行う。
タッチパネル１０の表示部への表示は、ＧＵＩ（Graphical User Interface）画像／プレビュー画像を表示させるように、パネル制御部１１が制御することで実現される。各ＧＵＩ／プレビュー画像は、パネル制御部１１の内部メモリ又は制御用メモリ２１に、読み出し可能に格納しておけばよい。
【００４０】
以下、本発明のプレビュー表示処理について詳細に説明する。
まず、ユーザが、図１（Ａ）で例示した、用紙サイズがＡ４の原稿５枚、同Ａ３の原稿５枚からなる原稿束をデジタル複合機１のＡＤＦにセットする（図１（Ｂ）参照）。
【００４１】
すると、デジタル複合機１は、ユーザの原稿セットを検知し、図４のデジタル複合機１の標準画面をタッチパネル１０に表示する。図４では、標準画面として、タッチパネル１０に表示されるＧＵＩ画像の一例（ＧＵＩ画像４０とする）を示している。ＧＵＩ画像４０は、ＡＤＦに原稿がセットされたり、デジタル複合機１の電源がＯＮ／リセットされたときにタッチパネル１０に表示される。このＧＵＩ画像４０では、コピーモードが選択されている状態を示す。
【００４２】
ＧＵＩ画像４０において、コピーを行うときの各種の条件設定が可能となっており、ＧＵＩ画像４０で表示されるキーを介して設定された印刷条件は、原稿読取開始時に制御用メモリ２１に記憶され、原稿全体に適用される。
また、ＧＵＩ画像４０には、読取部１３で読み取った原稿をプレビュー表示するためのプレビュー確認ボタン４１が表示されている。
【００４３】
ここで、ユーザが、特別機能ボタン４２を操作して、原稿用紙自動検知モード（用紙サイズ混載モード）を設定する。なお、用紙サイズ混載モードでは、記録部１２は、用紙サイズ検知部１６ａが検知した原稿用紙サイズで、コピーを実行する。
【００４４】
さらに、原稿スキャン後に、プレビュー表示するようにデジタル複合機１に指示するため、プレビュー確認ボタン４１をＯＮに設定して反転させ、コピーを開始するスタートキー２２ａ（図３参照）を押下すると、用紙サイズ検知部１６ａは、原稿の用紙サイズを検知し、当該原稿の画像データがデジタル複合機１の読取部１３によって順次生成され、画像処理部１６による各種画像処理が施されて、画像記憶部１５に記憶される。
【００４５】
同時に、前記検知部１６ａは、前記検知した原稿の用紙サイズを用紙サイズ記録部１８に出力する。
前記用紙サイズを受信した用紙サイズ記録部１８は、スキャンした原稿の画像データに対応して、当該スキャンした原稿の順に、当該原稿の用紙サイズを、例えば、テーブル形式で記録する。
【００４６】
図５は、図１で例示した原稿束をスキャンした場合に用紙サイズ記録部１８に記録される用紙サイズ記録テーブル１０１の一例である。
１０１ａは、画像データ名欄で、スキャンした順に、原稿の画像データ名が記録される。
１０１ｂは、用紙サイズ欄で、画像データに対応して、当該画像データに係る原稿の用紙サイズが記録される。
【００４７】
用紙サイズ記録テーブル１０１には、用紙サイズがＡ４と検知された原稿の画像データ群（単位）として、画像データ“１”〜画像データ“５”が記録され、用紙サイズがＡ３と検知された原稿の画像データ群として、画像データ“６”〜画像データ“１０”が記録されている。
【００４８】
同時に、プレビュー画像生成部１６ｂによってプレビュー表示用のプレビュー画像が生成され、画像記憶部１５に記憶される。
【００４９】
上記処理が終了すると、プレビュー画像表示制御部１７は、最初にスキャンした原稿に対応する画像データをプレビュー表示する。ここでは、図６に示すプレビュー画像５０１がタッチパネル１０に表示される。
【００５０】
５１ｘは、用紙サイズＡ４の原稿束Ｘおける先頭頁の原稿に係る画像データ“１”のプレビュー画像である。
また、前記表示制御部１７は、画像データのプレビュー表示と共に、当該画像データに係る用紙サイズ（Ａ４／Ａ３）が表示され、当該用紙サイズに基づき当該画像データをプレビュー表示する。
【００５１】
５２は、次原稿表示ボタン（以下、次ボタンと記す）、５３は、次スキップボタン、５４は、次早送りスキップボタン、５５は、前原稿表示ボタン（以下、前ボタンと記す）、５６は、前スキップボタン、５７は、前早送りスキップボタン、５８は、再設定ボタン、５９は、コピー開始ボタンで、各ボタンの機能については後述する。
【００５２】
ユーザによる、次スキップボタン５３の操作（次スキップ指示操作）を受け付けると、プレビュー画像表示制御部１７は、図５の用紙サイズ記録テーブル１０１を参照し、プレビュー表示中の画像データより後の、当該プレビュー表示中の画像データに係る原稿の用紙サイズとは異なる用紙サイズを示す画像データ群（単位）における先頭頁の画像データをプレビュー表示する。
【００５３】
図１及び図５の例では、図６のプレビュー画像５０１における、プレビュー表示中の画像データ（図５の画像データ“１”）の用紙サイズはＡ４であるから、当該画像データより後（直後）の、当該用紙サイズとは異なる用紙サイズ（Ａ３）を示す画像データ群は、図５の画像データ“６”〜画像データ“１０”である。
【００５４】
前記画像データ群における先頭頁の画像データは、画像データ“６”であるから、プレビュー画像表示制御部１７は、例えば図７に示すプレビュー画像５０２をタッチパネル１０に表示する。
５１ｙは、用紙サイズＡ３の原稿束Ｙにおける先頭頁の原稿に係る画像データ“６”のプレビュー画像である。
【００５５】
ここで、ユーザが、次ボタン５２を操作すると、プレビュー画像表示制御部１７は、プレビュー表示中の画像データ（画像データ“６”）の次の画像データである、画像データ“７”のプレビュー画像、例えば、図８に示すプレビュー画像５０３を表示する。
【００５６】
ここで、画像データ“７”に対応する原稿の用紙サイズはＡ３であるが、Ａ４と誤検知されているものとする。なお、用紙サイズ記録テーブル１０１の用紙サイズも同じくＡ４と設定されているとする。
【００５７】
このように、プレビュー表示した画像データに係る原稿の用紙サイズが、当該画像データに係る実際の原稿の用紙サイズよりも小さく誤検知された場合に、ユーザが、再設定ボタン５８を操作すると、プレビュー画像表示制御部１７は、図９に示す再設定画面６０１を表示する。
【００５８】
そこで、ユーザが、再設定画面６０の大ボタン６０１ａを操作すると（ユーザからの修正指示操作）、当該操作を受け付け、前記表示制御部１７は、適切な原稿の用紙サイズを入力し当該原稿を再スキャンする指示操作を行うように案内する、図１０に示すガイダンス画面６１１を表示する。
【００５９】
ユーザが、ガイダンス画面６１１に従って、原稿“７”をＡＤＦにセットして、用紙サイズとしてＡ３を指定（入力）し、スタートキー２２ａを操作する（ユーザからの用紙サイズ入力操作及び再スキャン指示操作）。
すると、プレビュー画像表示制御部１７は、当該操作を受け付け、再度スキャンした原稿“７”の画像データを既に画像記憶部１５に記憶された前記プレビュー表示に係る画像データと入れ替えて記憶し、再度、プレビュー表示する。
【００６０】
また、画像データの記憶と共に、前記表示制御部１７は、用紙サイズ記録テーブル１０１における、前記プレビュー表示した画像データに対応する用紙サイズ（Ａ４）を、入力された用紙サイズ（Ａ３）に修正する。
【００６１】
そして、プレビュー画像表示制御部１７は、図１１に示すように、前記画像データに係るプレビュー画像５０４を表示する。
【００６２】
また、図１２のプレビュー画像５０４に示すように、プレビュー表示した画像データに係る原稿の用紙サイズが、当該画像データに係る実際の原稿の用紙サイズよりも大きく誤検知された場合に、ユーザが、再設定ボタン５８を操作すると、プレビュー画像表示制御部１７は、図１３の再設定画面６０２を表示する。
【００６３】
ユーザが、再設定画面６０２の小ボタン６０２ｂを操作すると（ユーザからの修正指示操作）、当該操作を受け付け、前記表示制御部１７は、適切な原稿の用紙サイズを入力する操作を行うように案内する、図１４に示すガイダンス画面６１２を表示する。
【００６４】
ユーザが、ガイダンス画面６１２に従って、用紙サイズとしてＡ４を指定し、スタートキー２２ａを操作する（ユーザからの用紙サイズ入力操作）。
すると、プレビュー画像表示制御部１７は、当該操作を受け付け、既に画像記憶部１５に記憶された前記プレビュー表示に係る画像データに修正処理を施し、再度、プレビュー表示する。
【００６５】
具体的には、プレビュー画像表示制御部１７が、前記修正処理をするように画像処理部１６に指示すると、当該画像処理部１６は、画像記憶部１５に記憶された画像データ“３”の右半分を削除する画像処理を施す。
【００６６】
また、前記画像処理と共に、前記表示制御部１７は、用紙サイズ記録テーブル１０１における、前記プレビュー表示した画像データに対応する用紙サイズ（Ａ３）を、入力された用紙サイズ（Ａ４）に修正する。
【００６７】
そして、プレビュー画像表示制御部１７は、前記修正処理が施された画像データをプレビュー表示する。
【００６８】
ここで、他の操作ボタンの機能について説明する。
図７に示すプレビュー画像５０２において、前ボタン５５を操作した場合には、プレビュー画像表示制御部１７は、プレビュー表示中の画像データの前の画像データである、画像データ“５”のプレビュー画像を表示する。
【００６９】
他にも、プレビュー画像５０２において、ユーザによる、前スキップボタン５６の操作（前スキップ指示操作）を受け付けると、プレビュー画像表示制御部１７は、プレビュー表示中の画像データより前（直前）の、当該プレビュー表示中の画像データに係る原稿の用紙サイズとは異なる用紙サイズを示す画像データ群における先頭頁の画像データをプレビュー表示する。
上記の例では、図６のプレビュー画像５０１が表示される。
【００７０】
また、図６に示すプレビュー画像５０１において、ユーザが次早送りスキップボタン５４を操作すると、プレビュー画像表示制御部１７は、用紙サイズ記録テーブル１０１を参照し、当該テーブル１０１における末尾の画像データ群における、最初又は最後の画像データ（画像データ“６”又は画像データ“１０”）をプレビュー表示する。
【００７１】
他にも、図７に示すプレビュー画像５０２において、ユーザが前早送りスキップボタン５７を操作すると、プレビュー画像表示制御部１７は、用紙サイズ記録テーブル１０１を参照し、当該テーブル１０１における先頭頁の画像データ群における、最初又は最後の画像データ（画像データ“１”又は画像データ“５”）をプレビュー表示する。
これらの早送りスキップボタン（５４，５７）によるプレビュー表示は、前述のように、誤検知された原稿がある場合、特に、誤検知原稿が飛び飛びにある場合に、ユーザにとって便利である。
【００７２】
ユーザが、上記のボタン操作により各プレビュー画像を表示させ、用紙サイズ検知が適切に行われていることを確認し、コピー開始ボタン５９を操作すると、記録部１２は、画像記憶部１５に記憶された画像データ“１”〜画像データ“１０”を記録用紙に印刷（コピー）する。
【００７３】
なお、コピーだけでなく、画像記憶部１５に記憶された画像データ“１”〜画像データ“１０”をフォーマット変換部１４によってＰＤＦ等にファイル変換し、画像記憶部１５に記憶してもよい。
他にも、電子メールに添付したり、又、インターネットＦＡＸを利用して、所定の宛先に送信してもよい。
【００７４】
次に、上記のプレビュー画像表示処理を図１５のフロー図を用いて説明する。
ユーザが、異なる用紙サイズの原稿からなる原稿束をデジタル複合機１のＡＤＦにセットして（ステップＳ１）、用紙サイズ混載モードへの移行、及び、当該原稿をスキャン後、プレビュー表示するようにデジタル複合機１にタッチパネル１０を介して指示する（ステップＳ２）。
【００７５】
前記指示を受けたデジタル複合機１の読取部１３は、前記原稿を順次スキャンし、用紙サイズ検知部１６ａは、原稿の用紙サイズを検知する（ステップＳ３）。そして、読取部１３は、検知された原稿の用紙サイズに対応する画像データを生成し、当該画像データを画像記憶部１５に記憶する（ステップＳ４）。
また、用紙サイズ記録部１８は、前記画像データの用紙サイズを用紙サイズ記録テーブル１０１に記録する（ステップＳ５）。
【００７６】
ステップＳ３〜ステップＳ５の処理を繰り返し（ステップＳ６／ＮＯ）、全原稿のスキャンが終了すると（ステップＳ６／ＹＥＳ）、プレビュー画像表示制御部１７は、図６に示すプレビュー画像５０１のように、最初にスキャンした原稿に対応する画像データをプレビュー表示する（ステップＳ７）。
【００７７】
ここで、ユーザが、次スキップボタン５３を操作すると（ステップＳ８／次スキップボタン）、プレビュー画像表示制御部１７は、用紙サイズ記録テーブル１０１を参照し、プレビュー表示中の画像データより後の、当該プレビュー表示中の画像データに係る原稿の用紙サイズとは異なる用紙サイズを示す画像データ群における先頭頁の画像データをプレビュー表示する（ステップＳ９）。なお、前スキップボタン５６を操作した場合には、プレビュー表示中の原稿に係る画像データより前の、当該プレビュー表示中の画像データに係る原稿の用紙サイズとは異なる用紙サイズを示す画像データ群における先頭頁の画像データがプレビュー表示される。
【００７８】
ユーザが、再設定ボタン５８を操作すると（ステップＳ８／再設定ボタン）、プレビュー画像表示制御部１７は、再設定画面６０を表示し、以後、画像処理部１６等によって用紙サイズの修正処理が実行される（ステップＳ１０）。
【００７９】
なお、次原稿表示ボタン５２、次早送りスキップボタン５４、前ボタン５５、前スキップボタン５７を操作した場合には、前述のように、各ボタンに対応するプレビュー画像を表示する。
【００８０】
ユーザが、コピー開始ボタン５９を操作すると、記録部１２は、画像記憶部１５に記憶された画像データを記録用紙に印刷（コピー）する（ステップＳ１１）。
【００８１】
このように、次スキップボタン５３／前スキップボタン５６を１回操作するだけで、用紙サイズが切り替わった直後の原稿画像データをプレビュー表示することができるので、ユーザの利便性が向上する。
また、誤検知された場合に、容易な操作で、誤検知された用紙サイズを修正し、修正結果をプレビュー表示できるので、ユーザの利便性が向上する。
【００８２】
なお、例えば、画像データ２をプレビュー表示している際に、前スキップボタン５６が操作された場合には、プレビュー表示中の画像データより前の、当該プレビュー表示中の画像データに係る原稿の用紙サイズとは異なる用紙サイズを示す画像データ群が存在しない。そこで、当該画像データ“２”を含む同一用紙サイズを示す画像データ群の先頭画像データ、つまり、画像データ“１”をプレビュー表示するようにしてもよい。
【００８３】
他にも、画像データ“７”をプレビュー表示している際に、次スキップボタン５３が操作された場合には、上記のように、当該画像データ“７”を含む同一用紙サイズを示す画像データ群の先頭画像データ、つまり、画像データ“６”をプレビュー表示するようにしてもよい。
【００８４】
なお、本実施例では、原稿の用紙サイズとして、Ａ３、Ａ４を例示したが、他にも様々な用紙サイズを用いることができる。また、定型用紙サイズ以外にもユーザ設定の用紙サイズを用いることができる。
【図面の簡単な説明】
【００８５】
【図１】本発明に係る画像形成装置の概略について説明するための図である。
【図２】本発明の一実施形態に係る画像形成装置の構成例を示す概略ブロック図である。
【図３】操作パネルの一例である。
【図４】標準画面として、タッチパネルに表示されるＧＵＩ画像の一例である。
【図５】用紙サイズ記録テーブルの一例である。
【図６】プレビュー画像の一例である。
【図７】プレビュー画像の他の例である。
【図８】プレビュー画像の他の例である。
【図９】再設定画面の一例である。
【図１０】ガイダンス画面の一例である。
【図１１】プレビュー画像の他の例である。
【図１２】プレビュー画像の他の例である。
【図１３】再設定画面の他の例である。
【図１４】ガイダンス画面の他の例である。
【図１５】プレビュー画像表示処理を説明するためのフロー図である。
【符号の説明】
【００８６】
１…デジタル複合機、１０…タッチパネル、１１…パネル制御部、１２…記録部、１３…読取部、１４…フォーマット変換部、１５…画像記憶部、１６…画像処理部、１６ａ…用紙サイズ検知部、１６ｂ…プレビュー画像生成部、１７…プレビュー画像表示制御部、１８…用紙サイズ記録部、１９…符号化／復号部、２０…メイン制御部、２１…制御用メモリ、２２…キー操作部、２２ａ…スタートキー、２３…ＬＡＮ制御部、２４…制御用バッファ、２５…ＮＣＵ、２６…モデム、３０…操作パネル、４０…ＧＵＩ画像、４１…プレビュー確認ボタン、４２…特別機能ボタン、５０１〜５０４…プレビュー画像、５１ｘ，５１ｙ…プレビュー表示、５２…次原稿表示ボタン、５３…次スキップボタン、５４…次早送りスキップボタン、５５…前ボタン、５６…前スキップボタン、５７…前早送りスキップボタン、５８…再設定ボタン、５９…コピー開始ボタン、６０１，６０２…再設定画面、６１１，６１２…ガイダンス画面、１０１…用紙サイズ記録テーブル。
【図１】
2010109419.tif 000003
【図２】
2010109419.tif 000004
【図３】
2010109419.tif 000005
【図４】
2010109419.tif 000006
【図５】
2010109419.tif 000007
【図６】
2010109419.tif 000008
【図７】
2010109419.tif 000009
【図８】
2010109419.tif 000010
【図９】
2010109419.tif 000011
【図１０】
2010109419.tif 000012
【図１１】
2010109419.tif 000013
【図１２】
2010109419.tif 000014
【図１３】
2010109419.tif 000015
【図１４】
2010109419.tif 000016
【図１５】
2010109419.tif 000017